(57)【特許請求の範囲】
【請求項１】
開削溝の開口部を、複数の覆工板を敷き並べて形成した覆工板群により閉塞する路面覆工において、上記覆工板群の外周部に位置する覆工板を、その路盤と接する側辺部が所要の巾にわたり他の部分より低い段部に形成するとともに、それら低い段部の外端に、上記低い段部より若干高い突出縁を設け、この低い段部に仮舗装材をすり付けて、路盤と覆工板群とを接続することを特徴とする、路面覆工施工法。
【請求項２】
平面四角形とした覆工板の隣り合う２側辺部に、所要の巾にわたり、他の部分より低い段部を形成するとともに、それら低い段部の外端に、低い段部より若干高い突出縁を設けたことを特徴とする、覆工板。
【請求項３】
平面四角形とした覆工板の１側辺部に、所要の巾にわたり、他の部分より低い段部を形成するとともに、その低い段部の外端に、低い段部より若干高い突出縁を設けたことを特徴とする、覆工板。
【発明の詳細な説明】
【０００１】
【産業上の利用分野】
本発明は、道路等の地盤（路盤）を開削して下水管等の埋設や既設管の補修を行う工事において、その途中における安全の確保や通行の維持のために行う路面覆工の施工法及びこれに使用する覆工板に関するものである。
【０００２】
【従来の技術】
道路等の地下に下水管等を埋設したり、埋設されている下水管等の補修を行うには、路盤を掘削して作業用の開削溝を形成することが行われているが、この工事が1日の施工サイクルで作業を終了しない場合は、夜間等工事休止時には覆工板により開削溝を閉じ、作業時は覆工板を取り除いて開削溝を開口するようにして、作業休止時における交通とその安全を確保するようにしている。
【０００３】
この種の施工では、従来一般に、例えば図９に示す方法が採られている。すなわち、掘削する開削孔Ａの両側に土留杭１，１を打込み、腹起し材３と切梁４を設けて地山の崩壊を防止し、土留杭１，１上部に取り付けた桁受け材５，５に受桁２を架設し、その上に複数の覆工板６，６を路面ａと面一となるように載設するものである。
【０００４】
【発明が解決しようとする課題】
ところで、この種の工事においては、工事の途中で、周囲の地盤が沈下したり、反対に杭１や矢板10が沈下することがしばしば起こるものである。また、路面は必ずしも平坦ではない場合もある。そうした場合、覆工板６の上面ｂと路面ａとに段差（高低差）が生じ、歩行者や車等の通行や安全上問題が生じることにもなる。
【０００５】
上記従来の施工法では、周囲の地盤が沈下するなどして、図９(ロ)に示すように、路面ａが覆工板６の上面ｂより低くなったときは、路面ａ上にアスファルト等の仮舗装材16をすり付け（盛り付け）て、路面ａと覆工板６の上面ｂとがゆるく傾斜して接続させるようにしている。また、図８ (ハ)に示すように、土留杭１の方が沈下するなどして路面ａより覆工板６の上面ｂが低くなったときは、高さを調整するためのかいもの20を、受桁２と覆工板６との間、あるいは受桁２と桁受材５との間に介装して、覆工板６の上面ｂと路面ａが面一となるように調整するようにしている。
【０００６】
このように、従来の路面覆工においては、夜間等覆工板の敷設の都度、上記のような舗装材のすりつけやかいものを施して、覆工板の高さ調整を行わなければならず、施工が面倒で多くの労力を要し、コスト高になるという問題を有しており、また、すり付けた仮舗装材16ははがれ易いといった欠点がある。
【０００７】
本発明は、上記従来の覆工施工における問題点を解決するためになされたもので、多数敷設される覆工板のうち、外周部に位置し、路面と接続する部位にあたる覆工板を構造的に改善し、段差の生じた路面と覆工板とが舗装材のすり付けが容易、強固に行え、段差の解消が面倒な作業によらず簡便で能率よく確実に行えるようにした、路面覆工施工法及びこれに使用する覆工板を提供しようとするものである。
【０００８】
【課題を解決するための手段】
路面覆工を要する工事においては、運搬可能な大きさに形成した覆工板を、開削溝に架設した複数の受板上に支持させて平面上縦横に複数個並べて敷設される。本発明においては、それら覆工板群のうち、路面と接する位置にある覆工板の、路面と接する周部に、覆工板の上面より低く形成した所要巾の低段部(すり付け部)を形成するとともに、その周部の外縁に所要高さの突出縁を上方に向けて突出したものとし、上部低い段部に舗装材をすり付けて、路面覆工板間に段差が生じた場合、路面と覆工板の上面とがゆるい傾斜状態で接続できるようにする。それによって、従来のような、はがれやすい舗装材のすり付けや、かいものによる面倒な覆工板の高さ調整を行う等の問題が解消される。
【０００９】
この発明の構成について添付の図面を参照して説明すると、請求項１の施工法は、開削溝Ａの開口部を、複数の覆工板６を敷き並べて形成した覆工板群Ｃにより閉塞する路面覆工において、上記覆工板群Ｃの外周部に位置する覆工板６を、その路盤Ｂと接する側辺部が所要の巾にわたり他の部分より低い段部９に形成するとともに、それら低い段部９の外端に、上記低い段部９より若干高い突出縁13を設け、この低い段部９に仮舗装材16をすり付けて、路盤Ｂと覆工板群Ｃとを接続することを特徴とするものである。
【００１０】
また、請求項２の覆工板は、平面四角形とした覆工板６の隣り合う２側辺部に、所要の巾にわたり、他の部分より低い段部９を形成するとともに、それら低い段部９の外端に、低い段部９より若干高い突出縁13を設けたことを特徴とするものである。
【００１１】
また、請求項３の覆工板は、平面四角形とした覆工板６の１側辺部に、所要の巾にわたり、他の部分より低い段部９を形成するとともに、その低い段部９の外端に、低い段部９より若干高い突出縁13を設けたことを特徴とするものである。
【００１２】
【発明の実施の形態】
以下、本発明の実施の形態について図面を参照して説明する。図１〜図４は本発明施工法の実施態様を示し、図５〜図８はそれぞれ同工法で使用する覆工板の実施態様を示したものである。
【００１３】
図１、図２において、Ａは道路等の地盤(路盤)Ｂを掘削して管路等の埋設や補修のために形成された開削溝で、開削溝Ａの両側には、開削溝Ａの長手方向に所要の間隔をおいて土留杭１が各対向して打設される。そして、各側の土留杭１，１どうしは腹起し材３によって均一におさえるとともに、それら両側の腹起し材３，３間に切梁４を架設し、地山の崩壊を防止する。
【００１４】
土留杭１の上部内側(開削溝Ａに面する側)には、桁受け材(一般的にはチャンネル材)５を固着する。そして、開削溝Ａの両側に対向して打設された土留杭１に固着の桁受け材５，５にわたって受桁２を架設し、それら受桁２，２上には、平面長方形等の四角形に形成された覆工板６の複数個を敷き並べて敷設する。開削溝Ａは、工事の態様によりその長さや巾は様々であるが、一般的には、多数の覆工板６を縦横に数列にわたり敷き並べて開削溝Ａの開口を閉塞するようにしている。図２はその一例を示したもので、平面長方形の覆工板６(６−１〜６−９)の９枚を縦横に３列づつに並べて敷設して覆工板群Ｃを形成している。
【００１５】
本発明では、上記覆工板群Ｃ、路盤Ｂと直接的に接する外周部に位置する覆工板６−１〜６−４及び６−６〜６−９を、路盤Ｂと接していない中央部に位置する覆工板６−５と構造を異にしたものを使用する。覆工板６−５は従来公知の覆工板を使用する。この覆工板６(６−５)は、通常、Ｉ形鋼の複数本を並列して互いに溶接により結合し、所要の四角形に形成したものであるから、その構造については説明を省略する。
【００１６】
また、外周部に位置する覆工板６−１〜６−４及び６−６〜６−９は、それぞれ、それらが、路盤Ｂと接する側辺部を、所要の巾にわたり低い段部７に形成したものとなっている。すなわち、外周部に位置する覆工板６−１〜６−４及び６−６〜６−９のうち、隅部に位置する覆工板６−１、６−９及び６−３、６−７は、それぞれ隣り合う側辺部に、平面Ｌ字形をなす低い段部９が形成され、覆工板６−２、６−８には、その短辺の一方に低い段部9が形成され、覆工板６−４、６−６にはその長辺の一方に低い段部9が形成されている。このように、覆工板群Ｃはそれぞれ構造の異なる５種の覆工板６−５、６−１(６−９)、６−２(６−８)、６−３(６−７)及び６−４(６−６)を組み合わせて形成される。
【００１７】
次に、上記各覆工板６−１〜６−９の具体的な構成について説明する。覆工板６−１と６−９は、図５に示すように、側板を用いて所定の長方形の枠体７を形成し、その中に、Ｉ形鋼10の複数本(図示の例では４本)を並列に結合して形成した本体部８と、枠体７の隣り合う２つの側辺(長辺と短辺)に、本体部８の高さより低くした所定巾を有する平面Ｌ形の低い段部９が形成されている。この低い段部９は、図示のように、本体部８の隣り合う２辺の外側と、枠体７の隣り合う２辺の間にリブ11を隔設し、その上に上面板12を載設して形成されている。そして、低い段部９の外端には、本体部８の上面より若干低い高さの突出縁13 が設けられている。この突出縁13は、図示のように、枠体７の部材自体の高さの設定により形成してもよく、あるいは、上面板の外側部上に例えばプレートやアングル材等の部材等を、取り付けるようにしてもよい。なお、図中14は本体部８と低い段部９とを区切る隔板、15は、低い段部９の底板である。
【００１８】
覆工板６−３、６−７は、図６に示すように、上記の覆工板６−１、６−９とは低段部９が対称をなす逆Ｌ字形に形成されている。すなわち、平面Ｌ字形の低段部９における長形部分が、覆工板６−１、６−９におけるものとは反対側に形成されたものとなっている。その他の構成については覆工板６−１、６−９におけると同様であるから、その説明は省略する。
【００１９】
覆工板６−２、６−８は、図７に示すように、低い段部９が覆工板の短辺の一方のみに形成されたもので、側板を用いて所定の長方形の枠体７を形成し、その中にＩ形鋼10の複数本(図示の例では５本)を並列に統合して形成した本体部８と、枠体７の一つの短尺な側辺(短辺)に、本体部８の高さより低くした所定巾の低い段部９が形成されているとともに、その低段部９の外端には、本体部８の上面より若干低い高さの突出縁13が設けられている。その他の構成については、覆工板６−１、６−９のものと同様であるからその説明は省略する。
【００２０】
覆工板６−４、６−６は、図８に示すように、低い段部９が覆工板の長辺の一方のみに形成されたもので、側板を用いて所定の長方形の枠体７を形成し、その中にＩ形鋼10の複数本(図示の例では４本)を並列に結合して形成した本体部８と、枠体７の一つの長尺な側辺(長辺)に、本体部８の高さより低くした所定巾の低段部９が形成されているとともに、その低い段部９の外端には、本体部８の上面より若干低い高さの突出縁13が設けられている。その他の構成については、覆工板６−１、６−９のものと同様であるからその説明は省略する。
【００２１】
上記のように、本発明では、開削溝Ａの開口を、路盤Ｂと接する側に低い段部９を形成した覆工板を周囲に配した覆工板群Ｃにより閉塞する(図１、図２)。その際、当初は、覆工板群Ｃの上面と路盤面ａとが面一となるように施工する。そして、路盤Ａと接続する覆工板の低い段部９に補正アスファルト等の仮舗装材16をすり付け(盛り付け)て、覆工板の本体部８と路盤Ａとを段差なく接続させる。
【００２２】
工事の途中等で周囲の路盤Ｂが沈下して覆工板群Ｃの上面ｂが路盤面ａより高くなったときは、図３(イ)に示すように、覆工板の低い段部９に覆工群Ｃの上面ｂから路盤面ａとがゆるく傾斜して接続するように仮舗装材16をすり付けるようにする。また、土留杭１の方が沈下して、路盤面ａより覆工板群Ｃの上面ｂが低くなったときは、図３(ロ)に示すように、覆工板の低い段部９に覆工板群Ｃの上面ｂから路盤面ａとが、さきの場合とは反対に傾斜して接続するように仮舗装材16をすり付けるようにする。このように、段差の生じた路盤面ａと覆工板群Ｃの上面とは、仮舗装材16によりゆるい傾斜で接続されることになる。そして、すり付けた仮舗装材16は、低い段部９の外端に立ち上げられた突出縁13の存在によって、物理的に強固にすり付けられることになる。
【００２３】
上記の実施態様は、覆工板群を土留杭に支持するようにした施工を例としたものであるが、本発明は、図４に示すように、土留矢板17により地山の崩壊を防止し、土留矢板17の外側に形成した地山支持部18に覆工板群Ｃを支持するようにした施工においても実施できる。この場合、受桁２は、地山支持部18に設置したＨ形鋼やコンクリート等による基盤19上に架設され、受桁２の上に覆工板群Ｃが載設される。この施工では、路盤Ｂが沈下したり、地山支持部18が沈下することにより、路盤面ａと覆工抜群Ｃの上面ｂとに段差が生じることになるが、この場合もさきに説明した要領により段差の解消を図ることができる。
【００２４】
【発明の効果】
以上説明したように、本発明の施工法によれば、覆工板群の外周部に位置する覆工板を、その路盤と接続する側辺部が低い段部に形成したものとして敷設し、その低い段部に仮舗装材をすり付けて、路盤と覆工板とを接続するようにしたので、路面と覆工板群上面とに段差が生じた場合に、従来のように、各覆工板とこれを支持する受桁の間にかいものをして高さを調節したり、受桁の設置高さを調節する等の面倒な作業を行なうことなく、仮舗装材のすり付けを行うだけの極めて簡易な作業で路面と覆工板群上面との段差を解消し、通行の円滑化と安全化を図ることができる。
【００２５】
また、本発明の覆工板は、それぞれ路盤と接する側の辺部に低い段部を設けるとともに、その周端に突出端を設けたので、仮舗装材のすり付けが強固にかつ路面と覆工板群上面との段差の解消が自在に行なえるようになる。
【図面の簡単な説明】
【図１】  本発明の施工法の一実施態様を示す縦断面図である。
【図２】同平面図である。
【図３】  (イ)、(ロ)はそれぞれ段差解消の状態を示す縦断面図である。
【図４】本発明施工法の他の実施態様を示す縦断面図である。
【図５】本発明で使用する覆工板の一実施態様を示したもので、(イ)は平面図、(ロ)はＸ−Ｘ断面図、(ハ)はＹ−Ｙ断面図、(ニ)は斜視図である。
【図６】同他の実施態様を示す斜視図である。
【図７】同さらに他の実施態様を示す斜視図である。
【図８】同さらに他の実施態様を示す斜視図である。
【図９】  (イ)、(ロ)、(ハ)は、従来法の実施態様及び段差解消の要領を示した縦断面図である。
【符号の説明】
Ａ  開削溝
Ｂ  路盤
Ｃ  覆工板群
１  土留杭
２  受桁
５  桁受け材
６  覆工板
７  枠体
８  本体部
９  低い段部
突出縁
仮舗装材
17  土留矢板
地山支持部
19  基盤
【図１】
0003857124.tif 000002
【図２】
0003857124.tif 000003
【図３】
0003857124.tif 000004
【図４】
0003857124.tif 000005
【図５】
0003857124.tif 000006
【図６】
0003857124.tif 000007
【図７】
0003857124.tif 000008
【図８】
0003857124.tif 000009
【図９】
0003857124.tif 000010